(57)【特許請求の範囲】
【請求項１】
レンズを保持し前記レンズの光軸方向へ移動可能な可動体と、前記可動体を前記光軸方向へ移動可能に保持する固定体と、前記可動体を前記光軸方向へ駆動するための駆動機構とを備えるとともに、
前記可動体に固定される可動体固定部と、前記固定体に固定される固定体固定部と、前記可動体固定部と前記固定体固定部とを繋ぐ腕部とを有する板バネを備え、
前記駆動機構は、前記可動体に取り付けられる駆動用コイルを備え、
前記固定体は、前記駆動用コイルに電流を供給するための端子を備え、
前記端子は、前記固定体固定部が半田付けされて接続される板状のバネ接続部を備え、
前記駆動用コイルの端部は、前記可動体固定部に接続され、
前記固定体固定部は、前記光軸方向と前記固定体固定部の厚さ方向とが略一致するように配置され、
前記バネ接続部は、前記光軸方向に直交する第１方向と前記バネ接続部の厚さ方向とが略一致するように配置され、
前記バネ接続部と前記固定体固定部とは、前記光軸方向と前記第１方向とに直交する第２方向における前記バネ接続部の端面と、前記固定体固定部の端面とを利用して半田付けされていることを特徴とするレンズ駆動装置。
【請求項２】
前記固定体固定部の端面には、前記第１方向において前記バネ接続部の表面に対向するように突出する突起部が形成されていることを特徴とする請求項１記載のレンズ駆動装置。
【請求項３】
前記バネ接続部と前記固定体固定部とは、前記光軸方向における前記バネ接続部の端面と、前記固定体固定部の表面とを利用して半田付けされていることを特徴とする請求項１または２記載のレンズ駆動装置。
【請求項４】
前記バネ接続部の端面の少なくとも一部は、めっきされていることを特徴とする請求項１から３のいずれかに記載のレンズ駆動装置。
【請求項５】
前記固定体は、前記光軸方向における前記可動体の基準位置を決めるための基準面が形成される基準部材を備え、
前記固定体固定部は、前記基準部材に固定される被固定部と、前記バネ接続部に半田付けされる半田付け部とを備え、
前記バネ接続部の端面と前記半田付け部との間には、隙間が形成されていることを特徴とする請求項１から４のいずれかに記載のレンズ駆動装置。
【請求項６】
前記固定体は、前記光軸方向における前記可動体の基準位置を決めるための基準面が形成される基準部材を備え、
前記固定体固定部は、前記基準部材に接着固定される被固定部と、前記バネ接続部に半田付けされる半田付け部とを備え、
前記半田付け部は、前記被固定部から前記光軸方向と前記第１方向とに略直交する第２方向に突出するように形成されていることを特徴とする請求項１から５のいずれかに記載のレンズ駆動装置。
【発明の詳細な説明】
【技術分野】
【０００１】
本発明は、携帯電話等で使用される比較的小型のカメラに搭載されるレンズ駆動装置に関する。
【背景技術】
【０００２】
従来、携帯電話等に搭載されるカメラの撮影用レンズを駆動するレンズ駆動装置として、レンズを保持して光軸方向に移動する移動レンズ体と、板バネを介して移動レンズ体を移動可能に保持する固定体とを備えるレンズ駆動装置が知られている（たとえば、特許文献１参照）。この特許文献１に記載のレンズ駆動装置では、移動レンズ体を構成する筒状のスリーブの外周に駆動用コイルが巻回され、駆動用コイルの外周面に対向するように、駆動用磁石が配置されている。
【０００３】
また、このレンズ駆動装置では、光軸方向における移動レンズ体の両端側に板バネが配置されている。移動レンズ体の反被写体側に配置される板バネは、２枚のバネ片によって構成されており、一方のバネ片には、駆動用コイルの巻き始め側の端部が接続され、他方のバネ片には、駆動用コイルの巻き終わり側の端部が接続されている。また、このレンズ駆動装置は、駆動用コイルに電流を供給するための板状の端子を備えており、バネ片には、この端子に接触する端子接触部が形成されている。このレンズ駆動装置では、端子の表面と端子接触部の表面とが接触しており、端子および板バネを介して、駆動用コイルへ電流を供給することが可能となっている。
【先行技術文献】
【特許文献】
【０００４】
【特許文献１】特開２００９−３６８２５号公報
【発明の概要】
【発明が解決しようとする課題】
【０００５】
近年、携帯電話等に使用されるカメラの市場では、カメラの小型化の要求が一段と高まっており、そのため、カメラに搭載されるレンズ駆動装置の小型化の要求も一段と高まっている。しかしながら、特許文献１に記載のレンズ駆動装置では、端子の表面と端子接触部の表面とが接触しているため、端子の厚さ方向でレンズ駆動装置が大型化する傾向にある。具体的には、特許文献１に記載のレンズ駆動装置では、光軸方向に略直交する所定の方向でレンズ駆動装置が大型化する傾向にある。
【０００６】
そこで、本発明の課題は、端子および板バネを介して駆動用コイルへ電流を供給することが可能となっていても、光軸方向に略直交する所定の方向で小型化することが可能なレンズ駆動装置を提供することにある。
【課題を解決するための手段】
【０００７】
上記の課題を解決するため、本発明のレンズ駆動装置は、レンズを保持しレンズの光軸方向へ移動可能な可動体と、可動体を光軸方向へ移動可能に保持する固定体と、可動体を光軸方向へ駆動するための駆動機構とを備えるとともに、可動体に固定される可動体固定部と、固定体に固定される固定体固定部と、可動体固定部と固定体固定部とを繋ぐ腕部とを有する板バネを備え、駆動機構は、可動体に取り付けられる駆動用コイルを備え、固定体は、駆動用コイルに電流を供給するための端子を備え、端子は、固定体固定部が半田付けされて接続される板状のバネ接続部を備え、駆動用コイルの端部は、可動体固定部に接続され、固定体固定部は、光軸方向と固定体固定部の厚さ方向とが略一致するように配置され、バネ接続部は、光軸方向に直交する第１方向とバネ接続部の厚さ方向とが略一致するように配置され、バネ接続部と固定体固定部とは、光軸方向と第１方向とに直交する第２方向におけるバネ接続部の端面と、固定体固定部の端面とを利用して半田付けされていることを特徴とする。
【０００８】
本発明のレンズ駆動装置では、固定体は、駆動用コイルに電流を供給するための端子を備え、板バネは、固定体に固定される固定体固定部を備えている。また、端子は、固定体固定部が半田付けされて接続される板状のバネ接続部を備えている。さらに、バネ接続部は、光軸方向に直交する第１方向とバネ接続部の厚さ方向とが略一致するように配置され、バネ接続部と固定体固定部とは、光軸方向と第１方向とに直交する第２方向におけるバネ接続部の端面と、固定体固定部の端面とを利用して半田付けされている。そのため、光軸方向に直交する第１方向において、固定体固定部とバネ接続部とを重ねなくても、端子と板バネとを電気的に接続することが可能になる。したがって、本発明では、端子および板バネを介して駆動用コイルへ電流を供給することが可能となっていても、光軸方向に略直交する第１方向でレンズ駆動装置を小型化することが可能になる。
【０００９】
本発明において、固定体固定部の端面に、第１方向においてバネ接続部の表面に対向するように突出する突起部が形成されていることが好ましい。このように構成すると、突起部を利用して固定体固定部の端面のより広い範囲に半田フィレットを形成することが可能になる。したがって、バネ接続部と固定体固定部との接合強度を高めることが可能になり、また、バネ接続部と固定体固定部との間の導通性を高めることが可能になる。
【００１０】
本発明において、バネ接続部と固定体固定部とは、光軸方向におけるバネ接続部の端面と、固定体固定部の表面とを利用して半田付けされていても良い。
【００１１】
本発明において、バネ接続部の端面の少なくとも一部は、めっきされていることが好ましい。このように構成すると、バネ接続部の端面において、半田の濡れ性を高めることができる。したがって、バネ接続部と固定体固定部との接合強度を高めることが可能になり、また、バネ接続部と固定体固定部との間の導通性を高めることが可能になる。
【００１２】
本発明において、固定体は、光軸方向における可動体の基準位置を決めるための基準面が形成される基準部材を備え、固定体固定部は、基準部材に固定される被固定部と、バネ接続部に半田付けされる半田付け部とを備え、バネ接続部の端面と半田付け部との間には、隙間が形成されていることが好ましい。このように構成すると、可動体固定部を可動体に固定するとともに被固定部を基準部材に固定した後に、バネ接続部に半田付け部を半田付けすれば、可動体を基準面に当接させた状態で、端子と板バネとを接触させることなく、可動体固定部を可動体に固定し、固定体固定部を固定体に固定することが可能になる。したがって、可動体に目論見通りのバネ力が作用するように、可動体および固定体に板バネを固定することが可能になる。
【００１３】
本発明において、固定体は、光軸方向における可動体の基準位置を決めるための基準面が形成される基準部材を備え、固定体固定部は、基準部材に接着固定される被固定部と、バネ接続部に半田付けされる半田付け部とを備え、半田付け部は、被固定部から光軸方向と第１方向とに略直交する第２方向に突出するように形成されていることが好ましい。このように構成すると、被固定部を基準部材に接着固定した後に、バネ接続部に半田付け部を半田付けする場合であっても、半田付けの際の熱の影響で被固定部と基準部材との間の接着強度が低下するのを抑制することが可能になる。また、半田付け部への接着剤の流入を抑制することが可能になる。
【発明の効果】
【００１４】
以上のように、本発明では、端子および板バネを介して駆動用コイルへ電流を供給することが可能となっていても、光軸方向に略直交する所定の方向でレンズ駆動装置を小型化することが可能になる。
【図面の簡単な説明】
【００１５】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図３に示す板バネ、ベース部材、接地用端子および給電用端子の組立状態を示す斜視図である。
【図５】図３に示すベース部材、接地用端子および給電用端子を反被写体側から示す斜視図である。
【図６】図４のＦ部における板バネと給電用端子との接続部の構成を説明するための斜視図である。
【図７】図６のＧ−Ｇ方向から板バネと給電用端子との接続部の構成を説明するための斜視図である。
【図８】図４のＨ部における板バネと給電用端子との接続部の構成を説明するための斜視図である。
【図９】図８のＪ−Ｊ方向から板バネと給電用端子との接続部の構成を説明するための斜視図である。
【発明を実施するための形態】
【００１６】
以下、図面を参照しながら、本発明の実施の形態を説明する。
【００１７】
（レンズ駆動装置の概略構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。図４は、図３に示す板バネ６、７、ベース部材１１、接地用端子２１および給電用端子２２、２３の組立状態を示す斜視図である。
【００１８】
以下の説明では、図１等に示すように、互いに直交する３方向のそれぞれをＸ方向、Ｙ方向およびＺ方向とする。また、図１等のＸ１方向側を「右」側、Ｘ２方向側を「左」側、Ｙ１方向側を「前」側、Ｙ２方向側を「後（後ろ）」側、Ｚ１方向側を「上」側、Ｚ２方向側を「下」側とする。また、Ｘ方向とＹ方向とから形成される平面を「ＸＹ平面」、Ｚ方向とＸ方向とから形成される平面を「ＺＸ平面」とする。
【００１９】
本形態のレンズ駆動装置１は、携帯電話、ドライブレコーダあるいは監視カメラシステム等で使用される比較的小型のカメラに搭載されるものであり、図１に示すように、全体として略四角柱状に形成されている。具体的には、レンズ駆動装置１は、撮影用のレンズの光軸Ｌの方向（光軸方向）から見たときの形状が略正方形状となるように形成されている。また、レンズ駆動装置１の４つの側面は、左右方向または前後方向と略平行になっている。
【００２０】
なお、本形態では、Ｚ方向（上下方向）が光軸方向と一致している。また、本形態では、Ｙ方向（前後方向）は、光軸方向に略直交する第１方向であり、Ｘ方向（左右方向）は、光軸方向と第１方向とに略直交する第２方向である。また、本形態のレンズ駆動装置１が搭載されるカメラでは、下側に図示を省略する撮像素子が配置されており、上側に配置される被写体が撮影される。すなわち、本形態では、上側（Ｚ１方向側）は被写体側（物体側）であり、下側（Ｚ２方向側）は反被写体側（撮像素子側、像側）である。
【００２１】
レンズ駆動装置１は、図１〜図３に示すように、撮影用のレンズを保持し光軸方向へ移動可能な可動体２と、可動体２を光軸方向へ移動可能に保持する固定体３と、可動体２を光軸方向へ駆動するための駆動機構４とを備えている。可動体２は、板バネ５〜７を介して固定体３に移動可能に保持されている。本形態では、１個の板バネ５が可動体２の上端側に配置され、２個の板バネ６、７が可動体２の下端側に配置されている。
【００２２】
可動体２は、複数のレンズが固定されたレンズホルダ８を保持するスリーブ９を備えている。固定体３は、レンズ駆動装置１の側面を構成するカバー部材１０と、レンズ駆動装置１の反被写体側の端面を構成するベース部材１１と、板バネ５の一部が固定されるスペーサ１２と、カバー部材１０を接地させるための接地用端子２１と、駆動機構４を構成する後述の駆動用コイル１５に電流を供給するための端子としての２個の給電用端子２２、２３とを備えている。なお、図３では、レンズホルダ８の図示を省略している。
【００２３】
レンズホルダ８は、略円筒状に形成されている。このレンズホルダ８の内周側には、複数のレンズが固定されている。
【００２４】
スリーブ９は、たとえば、樹脂材料で形成されるとともに、略筒状に形成されている。具体的には、スリーブ９は、上下方向から見たときの内周面の形状が略円形状となり、上下方向から見たときの外周面の形状が略正方形状となる略筒状に形成されている。このスリーブ９は、その内周側でレンズホルダ８を保持している。すなわち、スリーブ９の内周面にレンズホルダ８の外周面が固定されている。
【００２５】
スリーブ９の下端には、ベース部材１１に形成される後述の基準面１１ｂに当接する当接する当接面９ａがＸＹ平面と略平行に形成されている。具体的には、前後方向および左右方向におけるスリーブ９の下端の略中心位置に、かつ、略９０°ピッチで、４個の当接面９ａが形成されている。
【００２６】
カバー部材１０は、導電性および磁性を有する金属材料で形成されている。また、カバー部材１０は、底部１０ａと筒部１０ｂとを有する底付きの略四角筒状に形成されている。上側に配置される底部１０ａには、貫通孔１０ｃが形成されている。筒部１０ｂを構成する左右両側面には、左右方向の外側に向かって広がる拡幅部１０ｄが形成されている。具体的には、前後方向における左右両側面の略中心位置に拡幅部１０ｄが形成されている。筒部１０ｂを構成する前側面の下端側には、筒部１０ｂの下端から上側に向かって切り欠かれる切欠部１０ｆが形成されている。具体的には、切欠部１０ｆは、前後方向から見たときの形状が略半円形状となるように形成されている。カバー部材１０は、可動体２および駆動機構４の外周側を囲むように配置されている。
【００２７】
ベース部材１１は、絶縁性を有する樹脂材料で形成されている。また、ベース部材１１は、略正方形の扁平なブロック状に形成されている。図３、図４に示すように、ベース部材１１の中心には、略矩形状の貫通孔１１ａが形成されている。ベース部材１１の上面には、光軸方向における可動体２の基準位置を決めるための基準面１１ｂがＸＹ平面と略平行に形成されている。具体的には、前後方向および左右方向におけるベース部材１１の上面の略中心位置に、かつ、略９０°ピッチで、４個の基準面１１ｂが形成されている。ベース部材１１は、カバー部材１０の下端側に取り付けられている。本形態のベース部材１１は、光軸方向における可動体２の基準位置を決めるための基準面１１ｂが形成される基準部材である。ベース部材１１のより具体的な構成については後述する。
【００２８】
スペーサ１２は、たとえば、樹脂材料で形成されるとともに、略正方形の扁平なブロック状に形成されている。このスペーサ１２は、カバー部材１０の底部１０ａの下面に固定されている。スペーサ１２の四隅の下面には、板バネ５の一部を固定するためのバネ固定部１２ａが形成されている。
【００２９】
板バネ５は、スリーブ９の上端側に固定される円環状の可動体固定部５ａと、スペーサ１２のバネ固定部１２ａに固定される４個の固定体固定部５ｂと、可動体固定部５ａと固定体固定部５ｂとを繋ぐ４本の腕部５ｃとを備えている（図３参照）。この板バネ５は、その厚さ方向と上下方向とが略一致するように、スリーブ９およびスペーサ１２に固定されている。また、板バネ５は、後述の駆動用コイル１５に電流が供給されていないときに、スリーブ９の当接面９ａとベース部材１１の基準面１１ｂとが当接して可動体２が所定の基準位置に配置されるように、撓んだ状態で、スリーブ９およびスペーサ１２に固定されている。
【００３０】
板バネ６は、スリーブ９の下端側に固定される可動体固定部６ａと、ベース部材１１に形成される後述のバネ固定部１１ｃに固定される２個の固定体固定部６ｂ、６ｃと、可動体固定部６ａと固定体固定部６ｂ、６ｃとを繋ぐ腕部６ｄとを備えている（図４参照）。同様に、板バネ７は、スリーブ９の下端側に固定される可動体固定部７ａと、後述のバネ固定部１１ｃに固定される２個の固定体固定部７ｂ、７ｃと、可動体固定部７ａと固定体固定部７ｂ、７ｃとを繋ぐ腕部７ｄとを備えている（図４参照）。なお、本形態の板バネ６、７はエッチングによって形成されている。
【００３１】
板バネ６、７は、その厚さ方向と上下方向とが略一致するように、スリーブ９およびベース部材１１に固定されている。また、板バネ６、７は、スリーブ９の当接面９ａとベース部材１１の基準面１１ｂとが当接しているときに板バネ６、７による付勢力が生じないように、スリーブ９およびベース部材１１に固定されている。
【００３２】
可動体固定部６ａ、７ａは、略１／４円弧状に形成されている。この可動体固定部６ａ、７ａには、後述の駆動用コイル１５の端部が接続されるコイル接続部６ｅ、７ｅが径方向の外側へ突出するように形成されている（図４参照）。固定体固定部６ｂ、７ｂには、ベース部材１１に形成される後述の位置決め突起１１ｖが挿通される挿通孔が形成されている。腕部６ｄ、７ｄは、他の構成部品との干渉を避けるため、かつ、所定のバネ定数を得るために、所定の曲線状に形成されている。固定体固定部６ｃ、７ｃの具体的な構成については後述する。
【００３３】
駆動機構４は、スリーブ９の外周側に巻回される２個の駆動用コイル１５と、レンズ駆動装置１の４つの側面のそれぞれに配置される駆動用磁石１６、１７とを備えている。
【００３４】
２個の駆動用コイル１５は、光軸方向に所定の間隔をあけた状態で、スリーブ９の外周面に巻回されている。すなわち、駆動用コイル１５は、略正方形状に巻回されている。２個の駆動用コイル１５は、たとえば、１本の導線が順次、巻回されることで形成されている。また、駆動用コイル１５の巻き始め側の端部は、板バネ６、７の一方のコイル接続部６ｅ、７ｅに半田付け等されて電気的に接続され、駆動用コイル１５の巻き終わり側の端部は、板バネ６、７の他方のコイル接続部６ｅ、７ｅに半田付け等されて電気的に接続されている。たとえば、駆動用コイル１５の巻き始め側の端部は、コイル接続部６ｅに接続され、駆動用コイル１５の巻き終わり側の端部は、コイル接続部７ｅに接続されている。
【００３５】
駆動用磁石１６、１７は、略矩形の板状に形成されている。この駆動用磁石１６、１７は、駆動用コイル１５の外周面に対向するようにカバー部材１０の筒部１０ｂの内側面に固定されている。具体的には、駆動用磁石１６は、筒部１０ｂを構成する前後両側面の内側に接着剤等を介して固定され、駆動用磁石１７は、筒部１０ｂの拡幅部１０ｄの内側に接着剤等を介して固定されている。本形態のカバー部材１０は、磁気回路を形成するためのヨークの機能を果たしている。なお、本形態では、図３に示すように、駆動用磁石１６の左右方向の幅は、駆動用磁石１７の前後方向の幅よりも広くなっている。
【００３６】
駆動用磁石１６、１７の駆動用コイル１５との対向面は、２極に着磁されている。具体的には、上下方向で異なる磁極が重なるように、駆動用磁石１６、１７の駆動用コイル１５との対向面が着磁されている。なお、本形態では、上側に配置される磁極の上下方向の幅が下側に配置される磁極の上下方向の幅よりも狭くなるように、駆動用磁石１６、１７の駆動用コイル１５との対向面が着磁されている。
【００３７】
スリーブ９の上端側には、略円環状に形成された磁性部材１８が固定されている。具体的には、磁性部材１８は、駆動用磁石１６、１７の上端面よりも上側に配置されるように、スリーブ９に固定されている。そのため、磁性部材１８と駆動用磁石１６、１７との間には、可動体２を下方向へ付勢する付勢力が作用している。すなわち、磁性部材１８と駆動用磁石１６、１７との間には、スリーブ９の当接面９ａとベース部材１１の基準面１１ｂとを当接させる方向の付勢力が作用している。
【００３８】
（接地用端子、給電用端子およびその周辺部分の構成）
図５は、図３に示すベース部材１１、接地用端子２１および給電用端子２２、２３を反被写体側から示す斜視図である。
【００３９】
接地用端子２１は、導電性を有する金属材料で形成されている。たとえば、接地用端子２１は、リン青銅で形成されている。また、接地用端子２１は、平板状の金属材料が折り曲げられて形成されている。図５に示すように、接地用端子２１は、カバー部材１０の筒部１０ｂの内側面に当接する当接部２１ａと、ベース部材１１に固定される被固定部２１ｂと、当接部２１ａと被固定部２１ｂとを繋ぐ折曲げ部２１ｃとを備えている。
【００４０】
接地用端子２１は、当接部２１ａと被固定部２１ｂとが略平行になり、当接部２１ａおよび被固定部２１ｂと折曲げ部２１ｃとが略直交するように形成されている。本形態では、当接部２１ａおよび被固定部２１ｂがＺＸ平面と略平行になり、折曲げ部２１ｃがＸＹ平面と略平行になるように、接地用端子２１がベース部材１１に固定されている。また、当接部２１ａが上側に配置され、被固定部２１ｂが下側に配置されるように、接地用端子２１がベース部材１１に固定されている。さらに、当接部２１ａが前側に配置され、被固定部２１ｂが後ろ側に配置されるように、接地用端子２１がベース部材１１に固定されている。
【００４１】
当接部２１ａの前側面には、前側に向かってわずかに突出する凸部２１ｄが形成されている。凸部２１ｄは、ベース部材１１に形成される後述の第１配置部１１ｈに当接部２１ａが配置されたときに、ベース部材１１の前端側に形成される後述の突出部１１ｄの前端面よりも前側に突出するように形成されている。被固定部２１ｂの下端側には、レンズ駆動装置１が搭載されるカメラ内に配置されるソケットの接地用の雌端子に差し込まれる差込み部２１ｅが下側に向かって突出するように形成されている。
【００４２】
給電用端子２２、２３は、導電性を有する金属材料で形成されている。たとえば、給電用端子２２、２３は、リン青銅で形成されている。また、給電用端子２２、２３は、平板状に形成されている。また、給電用端子２２、２３は、プレスの打ち抜き加工で形成されている。本形態では、プレス加工後の給電用端子２２、２３にめっき処理が施されており、給電用端子２２、２３の表面および端面の全体は、めっきされている。
【００４３】
図５に示すように、給電用端子２２は、板バネ６の固定体固定部６ｃが半田付けされて接続されるバネ接続部２２ａと、ベース部材１１に固定される被固定部２２ｂとを備えている。給電用端子２３は、給電用端子２２と同形状に形成されており、板バネ７の固定体固定部７ｃが半田付けされて接続されるバネ接続部２３ａと、ベース部材１１に固定される被固定部２３ｂとを備えている。本形態では、ＺＸ平面と略平行になるように、給電用端子２２、２３がベース部材１１に固定されている。すなわち、給電用端子２２、２３の厚さ方向と前後方向とが略一致するように、給電用端子２２、２３がベース部材１１に固定されている。また、バネ接続部２２ａ、２３ａが上側に配置され、被固定部２２ｂ、２３ｂが下側に配置されるように、給電用端子２２、２３がベース部材１１に固定されている。
【００４４】
バネ接続部２２ａは、上側に配置される略矩形状の第１接続部２２ｃと下側に配置される略矩形状の第２接続部２２ｄとから構成されている。左右方向における第１接続部２２ｃの幅は、第２接続部２２ｄの幅よりも狭くなっている。また、第１接続部２２ｃの右端と第２接続部２２ｄの右端とが一致している。そのため、バネ接続部２２ａの左端には、図５に示すように、３個の端面が階段状に形成されている。以下では、この３個の端面のうち、第１接続部２２ｃの左端面を第１端面２２ｆとし、第２接続部２２ｄの上端面を第２端面２２ｇとする。
【００４５】
左右方向におけるバネ接続部２２ａの幅は、被固定部２２ｂの幅よりも狭くなっている。また、バネ接続部２２ａの右端と被固定部２２ｂの右端とが一致している。被固定部２２ｂの下端側には、レンズ駆動装置１が搭載されるカメラ内に配置されるソケットの雌端子に差し込まれる差込み部２２ｅが下側に向かって突出するように形成されている。差込み部２２ｅは、被固定部２２ｂの左下端側に形成されている。
【００４６】
バネ接続部２２ａと同様に、バネ接続部２３ａは、上側に配置される略矩形状の第１接続部２３ｃと下側に配置される略矩形状の第２接続部２３ｄとから構成されている。左右方向における第１接続部２３ｃの幅は、第２接続部２３ｄの幅よりも狭くなっている。また、第１接続部２３ｃの左端と第２接続部２３ｄの左端とが一致している。そのため、バネ接続部２３ａの右端には、図５に示すように、３個の端面が階段状に形成されている。以下では、この３個の端面のうち、第１接続部２３ｃの右端面を第１端面２３ｆとし、第２接続部２３ｄの上端面を第２端面２３ｇとする。
【００４７】
左右方向におけるバネ接続部２３ａの幅は、被固定部２３ｂの幅よりも狭くなっている。また、バネ接続部２３ａの左端と被固定部２３ｂの左端とが一致している。被固定部２３ｂの下端側には、レンズ駆動装置１が搭載されるカメラ内に配置されるソケットの雌端子に差し込まれる差込み部２３ｅが下側に向かって突出するように形成されている。差込み部２３ｅは、被固定部２３ｂの右下端側に形成されている。
【００４８】
ベース部材１１の上面の四隅には、板バネ６、７の固定体固定部６ｂ、６ｃ、７ｂ、７ｃを固定するためのバネ固定部１１ｃが形成されている。バネ固定部１１ｃには、上下方向に直交する方向において、固定体固定部６ｂ、６ｃ、７ｂ、７ｃを位置決めするための位置決め突起１１ｖ（図４参照）が形成されている。位置決め突起１１ｖは、上側に向かって突出する略円柱状に形成されている。
【００４９】
また、ベース部材１１には、上側に向かって突出する略板状の突出部１１ｄがベース部材１１の外周端側に沿うように形成されている。具体的には、前後方向および左右方向におけるベース部材１１の外周端側の略中心位置の４箇所に突出部１１ｄが形成されている。
【００５０】
ベース部材１１の前端側には、接地用端子２１を配置するための端子配置凹部１１ｅと、給電用端子２２を配置するための端子配置凹部１１ｆと、給電用端子２３を配置するための端子配置凹部１１ｇとが形成されている。端子配置凹部１１ｆは、ベース部材１１の前左端側に形成され、端子配置凹部１１ｇは、ベース部材１１の前右端側に形成されている。また、端子配置凹部１１ｅは、端子配置凹部１１ｆに隣接するように、端子配置凹部１１ｆの右側に形成されている。
【００５１】
端子配置凹部１１ｅは、図５に示すように、当接部２１ａが配置される第１配置部１１ｈと、被固定部２１ｂが配置される第２配置部１１ｊとから構成されている。第１配置部１１ｈは、ベース部材１１の前端面の上端側の一部が後ろ側にわずかに窪むことで形成されており、ベース部材１１の前端側に形成される突出部１１ｄの前端面の一部も、第１配置部１１ｈを構成している。第２配置部１１ｊは、第１配置部１１ｈの下側に形成されるとともに、第１配置部１１ｈよりもさらに後ろ側に窪むように形成されている。第２配置部１１ｊの左右の側面には、被固定部２１ｂの左右の両端側が差し込まれて固定される差込み溝１１ｋが左右方向の外側に向かって窪むように形成されている。また、第２配置部１１ｊの下端は、被固定部２１ｂの左右両端側を下側から差込み溝１１ｋに差し込むことができるように開放されている。
【００５２】
端子配置凹部１１ｆは、図５に示すように、第２接続部２２ｄの一部が配置される配置孔１１ｍと、被固定部２２ｂが配置される配置部１１ｎとから構成されている。配置部１１ｎは、第２配置部１１ｊと同様に、前後方向において、端子配置凹部１１ｅの第１配置部１１ｈよりもさらに後ろ側に窪むように形成されている。配置部１１ｎの左右の側面には、被固定部２２ｂの左右の両端側が差し込まれて固定される差込み溝１１ｐが左右方向の外側に向かって窪むように形成されている。また、配置部１１ｎの下端は、被固定部２２ｂの左右両端側を下側から差込み溝１１ｐに差し込むことができるように開放されている。配置孔１１ｍは、上下方向でベース部材１１を貫通するように形成されている。具体的には、配置孔１１ｍは、その上端がベース部材１１の前端側に形成される突出部１１ｄの左側のすぐ近くで開口し、その下端が配置部１１ｎの上側面で開口するように形成されている。
【００５３】
端子配置凹部１１ｇは、端子配置凹部１１ｆと同様に、第２接続部２３ｄの一部が配置される配置孔１１ｑと、被固定部２３ｂが配置される配置部１１ｒとから構成されている。配置部１１ｒは、配置部１１ｎと同様に形成されている。配置部１１ｒの左右の側面には、被固定部２３ｂの左右の両端側が差し込まれて固定される差込み溝１１ｓが左右方向の外側に向かって窪むように形成されている。また、配置部１１ｒの下端は、被固定部２３ｂの左右両端側を下側から差込み溝１１ｓに差し込むことができるように開放されている。配置孔１１ｑは、配置孔１１ｍと同様に、上下方向でベース部材１１を貫通するように形成されている。具体的には、配置孔１１ｑは、その上端がベース部材１１の前端側に形成される突出部１１ｄの右側のすぐ近くで開口し、その下端が配置部１１ｒの上側面で開口するように形成されている。
【００５４】
本形態では、ベース部材１１の下側から、差込み溝１１ｋ、１１ｐ、１１ｓに被固定部２１ｂ、２２ｂ、２３ｂの左右両端側が差し込まれて、接地用端子２１および給電用端子２２、２３が下側からベース部材１１に固定される。
【００５５】
給電用端子２２、２３がベース部材１１に固定された状態では、図４に示すように、給電用端子２２、２３のバネ接続部２２ａ、２３ａの上端側は、配置孔１１ｍ、１１ｑを通過して、ベース部材１１の上端側に突出している。具体的には、第１接続部２２ｃ、２３ｃと第２接続部２２ｄ、２３ｄの上端側の一部とがベース部材１１の上端側に突出している。すなわち、第１端面２２ｆ、２３ｆと第２端面２２ｇ、２３ｇとは、ベース部材１１の上端側に突出している。また、第１接続部２２ｃは、ベース部材１１の前端側に形成される突出部１１ｄの左端面に隣接するように配置され、第１接続部２３ｃは、ベース部材１１の前端側に形成される突出部１１ｄの右端面に隣接するように配置されている。
【００５６】
上述のように、ベース部材１１は、カバー部材１０の下端側に取り付けられている。具体的には、突出部１１ｄの外側面に接着剤が塗布された状態で、カバー部材１０の内周側に下側から突出部１１ｄが挿入されることで、ベース部材１１は、カバー部材１０の下端側に固定されている。すなわち、ベース部材１１は、カバー部材１０に接着固定されている。
【００５７】
カバー部材１０とベース部材１１とが固定された状態では、前後方向において、カバー部材１０の切欠部１０ｆと、接地用端子２１の当接部２１ａとが重なっている。また、凸部２１ｄの前面は、カバー部材１０の筒部１０ｂの内側面に当接している。本形態では、切欠部１０ｆの上端側の端面と凸部２１ｄの前面との境界部分に向かってレーザを照射することで、カバー部材１０と当接部２１ａとが溶接されている。
【００５８】
（固定体固定部の構成および板バネと給電用端子との接続部の構成）
図６は、図４のＦ部における板バネ６と給電用端子２２との接続部の構成を説明するための斜視図である。図７は、図６のＧ−Ｇ方向から板バネ６と給電用端子２２との接続部の構成を説明するための斜視図である。図８は、図４のＨ部における板バネ７と給電用端子２３との接続部の構成を説明するための斜視図である。図９は、図８のＪ−Ｊ方向から板バネ７と給電用端子２３との接続部の構成を説明するための斜視図である。
【００５９】
図６に示すように、固定体固定部６ｃは、バネ固定部１１ｃに固定される被固定部６ｆと、バネ接続部２２ａに半田付けされる半田付け部６ｇとを備えている。被固定部６ｆには、ベース部材１１の位置決め突起１１ｖが挿通される挿通孔６ｈが形成されている。また、被固定部６ｆには、被固定部６ｆの左端側から後ろ方向に向かって伸びるように腕部６ｄが繋がっている。半田付け部６ｇは、被固定部６ｆの前端側から右方向に突出するように形成されている。また、半田付け部６ｇは、その先端（右端）に向かうにしたがって前側に広がる略台形状に形成されている。半田付け部６ｇの先端には、右側に向かってさらに突出する突起部６ｊが形成されている。突起部６ｊは、半田付け部６ｇの前端側に形成されている。
【００６０】
同様に、図８に示すように、固定体固定部７ｃは、バネ固定部１１ｃに固定される被固定部７ｆと、バネ接続部２３ａに半田付けされる半田付け部７ｇとを備えている。被固定部７ｆには、ベース部材１１の位置決め突起１１ｖが挿通される挿通孔７ｈが形成されている。また、被固定部７ｆには、前後方向における被固定部７ｆの中間位置から左方向に向かって伸びるように腕部７ｄが繋がっている。半田付け部７ｇは、被固定部７ｆの前端側から左方向に突出するように形成されている。また、半田付け部７ｇの基端側（右端側）は、略長方形状に形成され、半田付け部７ｇの先端側（左端側）は、その先端（左端）に向かうにしたがって前側に広がる略台形状に形成されている。半田付け部７ｇの先端には、左側に向かってさらに突出する突起部７ｊが形成されている。突起部７ｊは、半田付け部７ｇの前端側に形成されている。
【００６１】
本形態では、可動体固定部６ａがスリーブ９に接着固定され、かつ、被固定部６ｆがバネ固定部１１ｃに接着固定された後に、ベース部材１１の上端側に突出しているバネ接続部２２ａに半田付け部６ｇが半田付けされて接続される。被固定部６ｆがバネ固定部１１ｃに接着固定された状態では、図６、図７に示すように、バネ接続部２２ａの第１端面２２ｆと半田付け部６ｇの先端面６ｋとの間に隙間が形成されている。また、この状態では、図７に示すように、バネ接続部２２ａの第２端面２２ｇと半田付け部６ｇの下面との間にも隙間が形成されている。さらに、この状態では、突起部６ｊの後端面は、前後方向において第１接続部２２ｃの前面とわずかに対向している。
【００６２】
同様に、本形態では、可動体固定部７ａがスリーブ９に接着固定され、かつ、被固定部７ｆがバネ固定部１１ｃに接着固定された後に、ベース部材１１の上端側に突出しているバネ接続部２３ａに半田付け部７ｇが半田付けされて接続される。被固定部７ｆがバネ固定部１１ｃに接着固定された状態では、図８、図９に示すように、バネ接続部２３ａの第１端面２３ｆと半田付け部７ｇの先端面７ｋとの間に隙間が形成されている。また、この状態では、図９に示すように、バネ接続部２３ａの第２端面２３ｇと半田付け部７ｇの下面との間にも隙間が形成されている。さらに、この状態では、突起部７ｊの後端面は、前後方向において第１接続部２３ｃの前面とわずかに対向している。
【００６３】
また、本形態では、バネ接続部２２ａと半田付け部６ｇとは、第１端面２２ｆおよび第２端面２２ｇを利用して半田付けされている。すなわち、本形態では、半田付け部６ｇの先端面６ｋと第１端面２２ｆとを利用して、バネ接続部２２ａと半田付け部６ｇとが半田付けされるとともに、半田付け部６ｇの下面と第２端面２２ｇとを利用して、バネ接続部２２ａと半田付け部６ｇとが半田付けされている。具体的には、図６、図７に示すように、半田付け部６ｇの先端面６ｋと第１端面２２ｆとの間、半田付け部６ｇの下面と第２端面２２ｇとの間および半田付け部６ｇの上面に半田フィレット３０が形成されるように、バネ接続部２２ａと半田付け部６ｇとが半田付けされている。なお、突起部６ｊの長さによっては、突起部６ｊの後端面と第１接続部２２ｃの前面との間に、半田フィレット３０が形成されることもある。
【００６４】
同様に、本形態では、バネ接続部２３ａと半田付け部７ｇとは、第１端面２３ｆおよび第２端面２３ｇを利用して半田付けされている。すなわち、本形態では、半田付け部７ｇの先端面７ｋと第１端面２３ｆとを利用して、バネ接続部２３ａと半田付け部７ｇとが半田付けされるとともに、半田付け部７ｇの下面と第２端面２３ｇとを利用して、バネ接続部２３ａと半田付け部７ｇとが半田付けされている。具体的には、図８、図９に示すように、半田付け部７ｇの先端面７ｋと第１端面２３ｆとの間、半田付け部７ｇの下面と第２端面２３ｇとの間および半田付け部７ｇの上面に半田フィレット３１が形成されるように、バネ接続部２３ａと半田付け部７ｇとが半田付けされている。なお、突起部７ｊの長さによっては、突起部７ｊの後端面と第１接続部２３ｃの前面との間に、半田フィレット３１が形成されることもある。
【００６５】
なお、可動体固定部６ａ、７ａがスリーブ９に接着固定され、被固定部６ｆ、７ｆがバネ固定部１１ｃに接着固定される際には、スリーブ９の当接面９ａとベース部材１１の基準面１１ｂとを当接させた状態で、かつ、板バネ６、７に外力がかからない状態で、可動体固定部６ａ、７ａがスリーブ９に接着固定され、被固定部６ｆ、７ｆがバネ固定部１１ｃに接着固定される。すなわち、上述のように、板バネ６、７は、当接面９ａと基準面１１ｂとが当接しているときに板バネ６、７による付勢力が生じないように、スリーブ９およびベース部材１１に固定される。
【００６６】
（本形態の主な効果）
以上説明したように、本形態では、ＺＸ平面と略平行に配置される給電用端子２２、２３の第１端面２２ｆ、２３ｆと第２端面２２ｇ、２３ｇとを利用して、固定体固定部６ｃ、７ｃとバネ接続部２２ａ、２３ａとが半田付けされている。そのため、前後方向において、固定体固定部６ｃ、７ｃとバネ接続部２２ａ、２３ａとを重ねなくても、給電用端子２２、２３と板バネ６、７とを電気的に接続することができる。したがって、本形態では、給電用端子２２、２３および板バネ６、７を介して駆動用コイル１５へ電流を供給することが可能となっていても、前後方向においてレンズ駆動装置１を小型化することが可能になる。
【００６７】
本形態では、固定体固定部６ｃ、７ｃとバネ接続部２２ａ、２３ａとは、第１端面２２ｆ、２３ｆと、半田付け部６ｇ、７ｇの先端面６ｋ、７ｋとを利用して半田付けされている。また、本形態では、固定体固定部６ｃ、７ｃとバネ接続部２２ａ、２３ａとは、第２端面２２ｇ、２３ｇと半田付け部６ｇ、７ｇの下面とを利用して半田付けされている。そのため、先端面６ｋ、７ｋと第１端面２２ｆ、２３ｆとの間、半田付け部６ｇ、７ｇの下面と第２端面２２ｇ、２３ｇとの間に半田フィレット３０、３１を形成することができる。したがって、本形態では、固定体固定部６ｃ、７ｃとバネ接続部２２ａ、２３ａとの接合強度を高めることが可能になる。また、固定体固定部６ｃ、７ｃとバネ接続部２２ａ、２３ａとの間の導通性を高めることが可能になる。
【００６８】
特に本形態では、半田付け部６ｇ、７ｇの先端に、第１接続部２２ｃ、２３ｃの前面と対向する突起部６ｊ、７ｊが形成されている。そのため、突起部６ｊ、７ｊを利用して先端面６ｋ、７ｋのより広い範囲に半田フィレット３０、３１を形成することが可能になる。したがって、本形態では、固定体固定部６ｃ、７ｃとバネ接続部２２ａ、２３ａとの接合強度をより高めることが可能になる。また、固定体固定部６ｃ、７ｃとバネ接続部２２ａ、２３ａとの間の導通性をより高めることが可能になる。
【００６９】
また、本形態では、給電用端子２２、２３の端面の全体がめっきされている。すなわち、第１端面２２ｆ、２３ｆおよび第２端面２２ｇ、２３ｇの全体がめっきされている。そのため、プレス加工で形成された給電用端子２２、２３の第１端面２２ｆ、２３ｆおよび第２端面２２ｇ、２３ｇの一部が破断面であったとしても、第１端面２２ｆ、２３ｆおよび第２端面２２ｇ、２３ｇにおける半田の濡れ性を高めることができる。したがって、本形態では、固定体固定部６ｃ、７ｃとバネ接続部２２ａ、２３ａとの接合強度をより高めることが可能になる。また、固定体固定部６ｃ、７ｃとバネ接続部２２ａ、２３ａとの間の導通性をより高めることが可能になる。
【００７０】
本形態では、半田付け部６ｇは、その先端に向かうにしたがって前側に広がる略台形状に形成されている。また、半田付け部７ｇの先端側は、その先端に向かうにしたがって前側に広がる略台形状に形成されている。そのため、バネ固定部１１ｃに対する固定体固定部６ｃ、７ｃの固定位置がばらついても、第１端面２２ｆ、２３ｆと先端面６ｋ、７ｋとを対向させやすくなる。そのため、第１端面２２ｆ、２３ｆと先端面６ｋ、７ｋとの間で確実に半田フィレット３０、３１を形成することが可能になる。また、第１端面２２ｆ、２３ｆと先端面６ｋ、７ｋとの間の半田付け作業が容易になる。
【００７１】
本形態では、第１端面２２ｆ、２３ｆと先端面６ｋ、７ｋとの間に隙間が形成され、かつ、第２端面２２ｇ、２３ｇと半田付け部６ｇ、７ｇの下面との間に隙間が形成されている。また、本形態では、可動体固定部６ａ、７ａがスリーブ９に接着固定され、かつ、被固定部６ｆ、７ｆがバネ固定部１１ｃに接着固定された後に、バネ接続部２２ａ、２３ａに半田付け部６ｇ、７ｇが半田付けされている。そのため、当接面９ａと基準面１１ｂとを当接させた状態で、板バネ６、７と給電用端子２２、２３とを接触させることなく、可動体固定部６ａ、７ａをスリーブ９に固定し、固定体固定部６ｃ、７ｃをベース部材１１に固定することができる。したがって、本形態では、可動体２に目論見通りのバネ力が作用するように、可動体２および固定体３に板バネ６、７を固定することが可能になる。
【００７２】
本形態では、半田付け部６ｇは、被固定部６ｆから右方向に突出するように形成され、半田付け部７ｇは、被固定部７ｆから左方向に突出するように形成されている。すなわち、半田付け部６ｇと被固定部６ｆとが比較的離れており、また、半田付け部７ｇと被固定部７ｆとが比較的離れている。そのため、本形態では、半田付けの際の熱の影響で被固定部６ｆ、７ｆとベース部材１１との間の接着強度が低下するのを抑制することが可能になる。また、半田付け部６ｇ、７ｇへの接着剤の流入を抑制することが可能になる。
【００７３】
（他の実施の形態）
上述した形態は、本発明の好適な形態の一例ではあるが、これに限定されるものではなく本発明の要旨を変更しない範囲において種々変形実施が可能である。
【００７４】
上述した形態では、固定体固定部６ｃ、７ｃとバネ接続部２２ａ、２３ａとは、第１端面２２ｆ、２３ｆと半田付け部６ｇ、７ｇの先端面６ｋ、７ｋとを利用して半田付けされるとともに、第２端面２２ｇ、２３ｇと半田付け部６ｇ、７ｇの下面とを利用して半田付けされている。この他にもたとえば、固定体固定部６ｃ、７ｃとバネ接続部２２ａ、２３ａとは、第１端面２２ｆ、２３ｆと半田付け部６ｇ、７ｇの先端面６ｋ、７ｋとのみを利用して半田付けされても良い。また、固定体固定部６ｃ、７ｃとバネ接続部２２ａ、２３ａとは、第２端面２２ｇ、２３ｇと半田付け部６ｇ、７ｇの下面とのみを利用して半田付けされても良い。固定体固定部６ｃ、７ｃとバネ接続部２２ａ、２３ａとが、第２端面２２ｇ、２３ｇと半田付け部６ｇ、７ｇの下面とのみを利用して半田付けされる場合には、バネ接続部２２ａ、２３ａは、第２接続部２２ｄ、２３ｄのみによって構成されても良い。
【００７５】
上述した形態では、半田付け部６ｇ、７ｇに突起部６ｊ、７ｊが形成されているが、半田付け部６ｇ、７ｇに突起部６ｊ、７ｊが形成されていなくても良い。
【００７６】
上述した形態では、給電用端子２２、２３の端面の全体がめっきされている。この他にもたとえば、バネ接続部２２ａ、２３ａの端面のみがめっきされていても良い。また、第１端面２２ｆ、２３ｆおよび第２端面２２ｇ、２３ｇのみがめっきされていても良い。また、上述した形態では、第１端面２２ｆ、２３ｆおよび第２端面２２ｇ、２３ｇの全体がめっきされている。この他にもたとえば、第１端面２２ｆ、２３ｆおよび／または第２端面２２ｇ、２３ｇの一部がめっきされても良い。この場合であっても、第１端面２２ｆ、２３ｆや第２端面２２ｇ、２３ｇにおける半田の濡れ性を高めることが可能になる。また、たとえば、給電用端子２２、２３は、表面がめっきされた金属板をプレス加工で打ち抜くことで形成されても良い。この場合であっても、プレス加工時に、第１端面２２ｆ、２３ｆや第２端面２２ｇ、２３ｇのせん断面にめっきが付着するため、第１端面２２ｆ、２３ｆや第２端面２２ｇ、２３ｇにおける半田の濡れ性を高めることが可能になる。
【００７７】
上述した形態では、給電用端子２２、２３は、平板状に形成されている。この他にもたとえば、給電用端子２２、２３は、接地用端子２１と同様に、平板状の金属材料が折り曲げられて形成されても良い。また、バネ接続部２２ａ、２３ａが平板状に形成されるとともに、バネ接続部２２ａ、２３ａを除くその他の部分が曲率半径の大きな曲板状に形成されても良いし、給電用端子２２、２３の全体が曲率半径の大きな曲板状に形成されても良い。この場合であっても、バネ接続部２２ａ、２３ａは、その厚さ方向と前後方向とが略平行になるように配置される。
【００７８】
上述した形態では、レンズ駆動装置１の４つの側面のそれぞれに駆動用磁石１６、１７が配置されているが、レンズ駆動装置１の四隅に駆動用磁石が配置されても良い。また、上述した形態では、レンズ駆動装置１は、略四角柱状に形成されているが、レンズ駆動装置１は、略六角柱状等の多角柱状に形成されても良いし、円柱状あるいは楕円柱状等に形成されても良い。
【符号の説明】
【００７９】
１  レンズ駆動装置
２  可動体
３  固定体
４  駆動機構
６、７  板バネ
６ａ、７ａ  可動体固定部
６ｃ、７ｃ  固定体固定部
６ｄ、７ｄ  腕部
６ｆ、７ｆ  被固定部
６ｇ、７ｇ  半田付け部
６ｊ、７ｊ  突起部
６ｋ、７ｋ  先端面（固定体固定部の端面）
１１  ベース部材（基準部材）
１１ｂ  基準面
１５  駆動用コイル
２２、２３  給電用端子（端子）
２２ａ、２３ａ  バネ接続部
２２ｆ、２３ｆ  第１端面（バネ接続部の端面）
２２ｇ、２３ｇ  第２端面（バネ接続部の端面）
Ｌ  光軸
Ｘ  第２方向
Ｙ  第１方向
Ｚ  光軸方向
【図１】
0005430361.tif 000002
【図２】
0005430361.tif 000003
【図３】
0005430361.tif 000004
【図４】
0005430361.tif 000005
【図５】
0005430361.tif 000006
【図６】
0005430361.tif 000007
【図７】
0005430361.tif 000008
【図８】
0005430361.tif 000009
【図９】
0005430361.tif 000010